(57)【要約】【課題】車椅子の座部から延びる柱状支持部を遊技場のフロアに脱着可能に固定することができるとともに、容易に椅子の脱着を行うことができ、かつ、安定した状態で椅子をフロアに固定することのできる椅子の固定構造を提供する。【解決手段】フロア上に固定されるとともに、椅子の座部から下方に延びる柱状支持部が内挿される中空の基礎部材と、柱状支持部の外面を基礎部材の内面に対して、直接又は間接的に圧接固定する固定部材と、を備え、固定部材によって、椅子をフロアに対して脱着可能に固定する。【選択図】図１
2008149002.tif 000002
【特許請求の範囲】
【請求項１】
フロア上に固定されるとともに、椅子の座部から下方に延びる柱状支持部が内挿される中空の基礎部材と、
前記柱状支持部の外面を前記基礎部材の内面に対して、直接又は間接的に圧接固定する固定部材と、を備え、
前記固定部材によって、前記椅子を前記フロアに対して脱着可能に固定することを特徴とする椅子の固定構造。
【請求項２】
前記基礎部材に内挿した前記柱状支持部の外面に前記固定部材を圧接して、前記柱状支持部の外面の少なくとも一部を、前記基礎部材の内面に対して、直接又は間接的に圧接することにより、前記柱状支持部を前記基礎部材に対して固定する請求項１に記載の椅子の固定構造。
【請求項３】
前記固定部材は、前記基礎部材の側壁を貫通するネジ穴に螺入されるネジであって、このネジの先端を前記柱状支持部の外面に圧接することによって、前記柱状支持部の外面の少なくとも一部を、前記基礎部材の内面に対して、直接又は間接的に圧接固定する請求項２に記載の椅子の固定構造。
【請求項４】
前記固定部材は、先端部が前記基礎部材の内面よりも内方に突出した状態と、前記内面と同一または外方に位置する状態と、を備えるように前記基礎部材に設けられたカム部材であって、前記先端部を前記柱状支持部の外面に圧接することによって、前記柱状支持部の外面の少なくとも一部を、前記基礎部材の内面に対して、直接又は間接的に圧接固定する請求項２に記載の椅子の固定構造。
【請求項５】
前記基礎部材に内挿されるとともに、内部に前記柱状支持部が挿入される筒状の中間部材を備え、前記柱状支持部の外面に前記固定部材を圧接して、前記柱状支持部の外面の少なくとも一部を、前記中間部材を介して、前記基礎部材の内面に圧接することにより、前記柱状支持部を前記基礎部材に対して固定する請求項２から請求項４のいずれか１項に記載の椅子の固定構造。
【請求項６】
前記基礎部材は、前記柱状支持部が内挿されるとともに、内挿方向に沿ったスリットが形成された筒状部を備え、前記筒状部には、前記スリットの間隔を可変とする前記固定部材が設けられており、前記固定部材を用いて前記スリットの間隔を狭めることによって、前記柱状支持部の外面を前記基礎部材の内面に対して、直接又は間接的に圧接固定する請求項１に記載の椅子の固定構造。
【請求項７】
前記固定部材は、前記基礎部材のスリットを構成する側壁間に渡って螺入されたネジであって、ネジの螺入量を調整することによって、前記スリットの間隔を変更する請求項６に記載の椅子の固定構造。
【発明の詳細な説明】
【技術分野】
【０００１】
本発明は、椅子を床に脱着可能に固定する構造に関し、とくにパチンコ店その他の遊技場における椅子の固定構造に関する。
【背景技術】
【０００２】
パチンコ、パチスロ、ゲームなどの遊戯施設を備えたパチンコ店では、店内の模様替えを容易にするため、又は、老朽化した椅子を新しいものに交換するために、フロア（床）に対して脱着可能に固定することのできる椅子が用いられることが多く、例えば特許文献１に記載された固定構造が提案されている。
【０００３】
特許文献１記載の固定構造（ポール樹立構造）においては、フロアに固定される基板上に筒状の受体が固着され、この受体内に、椅子の座部を支持するポールの下端部が嵌合される。ポールの下端部には、その側面から突出する突出部が配置されている。この突出部は、ポールが受体に嵌合されたときに、受体の上端開口縁から少しの隙間を隔てるように配置されている。このような構造とすると、二股状に分かれたクサビを受体の上端開口縁と突出部の間の隙間に挟入することにより、隙間を広げることができるため、ポール下端部が受体の内面に強固に嵌合していたとしても簡単に取り外すことができる。
【０００４】
一方、遊技者が車椅子の方である場合、遊戯中の安全のため、及び、遊技者に安心感を与えるために、自身の車椅子の座部を、遊技場が備えた固定構造によってフロアに固定できることが望まれている。
【特許文献１】特開２００４−３０５５１３号公報
【特許文献２】特開２００５−６５８７６号公報
【発明の開示】
【発明が解決しようとする課題】
【０００５】
しかしながら、上述の固定構造では、ポールに突出部を設けなければならないため、突出部を形成することができない車椅子には使用することができなかった。また、上端開口縁と突出部の間に隙間を設けることにより、クサビを用いて椅子を取り外すことができるようにはなったが、椅子を安定して固定するためにはポールを受体内へ強く嵌合しなければならず、強く嵌合された椅子を取り外すには熟練した者が強い力でクサビを打ち込まなければならず誰もが容易にできる作業ではない。
【０００６】
そこで本発明は、車椅子の座部から延びる柱状支持部（ポール）を遊技場のフロアに脱着可能に固定することのできる椅子の固定構造を提供することを目的とする。また、本発明は、簡便な構造で、容易に椅子の脱着を行うことができ、かつ、安定した状態で椅子をフロアに固定することのできる椅子の固定構造を提供することを目的とする。
【課題を解決するための手段】
【０００７】
上記課題を解決するために、本発明の椅子の固定構造においては、フロア上に固定されるとともに、椅子の座部から下方に延びる柱状支持部が内挿される中空の基礎部材と、柱状支持部の外面を基礎部材の内面に対して、直接又は間接的に圧接固定する固定部材と、を備え、固定部材によって、椅子をフロアに対して脱着可能に固定することを特徴としている。
【０００８】
本発明の椅子の固定構造においては、基礎部材に内挿した柱状支持部の外面に固定部材を圧接して、柱状支持部の外面の少なくとも一部を、基礎部材の内面に対して、直接又は間接的に圧接することにより、柱状支持部を基礎部材に対して固定することが好ましい。
【０００９】
本発明の椅子の固定構造において、固定部材は、基礎部材の側壁を貫通するネジ穴に螺入されるネジであって、このネジの先端を柱状支持部の外面に圧接することによって、柱状支持部の外面の少なくとも一部を、基礎部材の内面に対して、直接又は間接的に圧接固定するとよい。
【００１０】
本発明の椅子の固定構造において、固定部材は、先端部が基礎部材の内面よりも内方に突出した状態と、内面と同一または外方に位置する状態と、を備えるように基礎部材に設けられたカム部材であって、先端部を柱状支持部の外面に圧接することによって、柱状支持部の外面の少なくとも一部を、基礎部材の内面に対して、直接又は間接的に圧接固定することができる。
【００１１】
本発明の椅子の固定構造においては、基礎部材に内挿されるとともに、内部に柱状支持部が挿入される筒状の中間部材を備え、柱状支持部の外面に固定部材を圧接して、柱状支持部の外面の少なくとも一部を、中間部材を介して、基礎部材の内面に圧接することにより、柱状支持部を基礎部材に対して固定することが好ましい。
【００１２】
本発明の椅子の固定構造において、基礎部材は、柱状支持部が内挿されるとともに、内挿方向に沿ったスリットが形成された筒状部を備え、筒状部には、スリットの間隔を可変とする固定部材が設けられており、固定部材を用いてスリットの間隔を狭めることによって、柱状支持部の外面を基礎部材の内面に対して、直接又は間接的に圧接固定するとよい。
【００１３】
本発明の椅子の固定構造において、固定部材は、基礎部材のスリットを構成する側壁間に渡って螺入されたネジであって、ネジの螺入量を調整することによって、スリットの間隔を変更することができる。
【発明の効果】
【００１４】
本発明によると、遊技場のフロア上に固定される中空の基礎部材に、椅子の座部から下方に延びる柱状支持部を内挿し、固定部材により柱状支持部の外面を前記基礎部材の内面に対して、直接又は間接的に圧接固定することにより、椅子をフロアに対して脱着可能に固定する構造としたため、安定した状態で椅子をフロアに固定できるとともに、車椅子を固定する場合にも、その座部から延びる柱状支持部を加工することなく、フロアに脱着可能に固定することができる。さらに、簡便な固定構造であるから製造が容易であり、また、椅子の脱着に熟練及び強い力は要求されず、容易に脱着作業を行うことができる。
【発明を実施するための最良の形態】
【００１５】
以下、本発明にかかる実施形態を図面を参照しつつ詳しく説明する。
＜第１実施形態＞（図１、図２）
図１及び図２に示す第１実施形態に係る椅子の固定構造１０は、フロアＦ（図２（ｂ））に固定される基礎部材１２と、基礎部材１２に内挿される略筒状の中間部材１４と、を備える。基礎部材１２、中間部材１４ともに金属の成形により形成され、椅子を安定した状態でフロアに固定できるだけの剛性を備えていれば任意の材料（例えばステンレス鋼）を用いることができる。
【００１６】
基礎部材１２は、円板状の基部１２ａの中央に、リング状の傾斜部１２ｂを介して、円筒部１２ｃを立設形成した形状をなしており、基部１２ａの厚さ方向（図１の上下方向）に沿って貫設された複数のネジ穴１２ｄに、ネジ１６をそれぞれ挿入し、その先端をフロアＦに螺入することによりフロアＦに固定される。
【００１７】
中間部材１４は、円筒部１４ａと、この円筒部１４ａの下端から離れるほど外形が大きくなるように形成された傾斜部１４ｂと、が互いに連設されている。中間部材１４は、円筒部１４ａを基礎部材１２の円筒部１２ｃに内挿した状態でフロアＦ上に載置される。言い換えると、フロアＦ上に載置した中間部材１４の円筒部１４ａに基礎部材１２の円筒部１２ｃを外嵌する。中間部材１４の傾斜部１４ｂの外面を、基礎部材１２の傾斜部１２ｂの内面に対応した形状としているため、中間部材１４が基礎部材１２から上方へ抜けることを防止できる。
【００１８】
また、基礎部材１２の円筒部１２ｃには、外面（外周面）から内面（内周面）へ貫通する基礎部材側固定孔１２ｅが設けられ、中間部材１４の円筒部１４ａには、外面から内面へ貫通する中間部材側固定孔１４ｃが設けられている。基礎部材側固定孔１２ｅ及び中間部材側固定孔１４ｃは、円筒部１４ａに円筒部１２ｃを外嵌したときに互いに対応する位置に設けられており、基礎部材１２の傾斜部１２ｂの外面から中間部材１４の内方まで続く貫通孔が形成される。この貫通孔にネジ（固定部材）１８を螺入することによって、中間部材１４が基礎部材１２から上方へ抜けることを防止できる。
【００１９】
つづいて、図２を参照しつつ、第１実施形態の固定構造１０を用いた、フロアＦへの椅子の固定手順について説明する。まず、中間部材１４が基礎部材１２から抜け止められた状態で、ネジ穴１２ｄに挿通されたネジ１６をフロアＦに螺入固定することにより、基礎部材１２をフロアＦに固定する（図２（ａ））。このとき、円筒部１４ａは、円筒部１２ｃの上端から上方へ延出した状態である。この円筒部１４ａ内に、対象となる椅子の座部から下方に延びるポール（柱状支持部）Ｐの下端を挿入する。ポールＰの中間部材１４からの脱着を容易にする観点から、中間部材１４の内径はポールＰの外径と同一又はやや大きいことが好ましい。
【００２０】
次に、基礎部材側固定孔１２ｅと中間部材側固定孔１４ｃ内に螺入されたネジ１８の先端をポールＰの外面に圧接させる。これにより、ポールＰの外面の少なくとも一部が中間部材１４を介して基礎部材１２に圧接固定される。このようにして、ポールＰは、固定構造１０を用いてフロアＦに固定される（図２（ｂ））。ポールＰの取り外しは、ネジ１８の円筒部１４ａ内面からの突出量を減じて、ネジ１８のポールＰへの圧接状態を解除した状態で行う。ポールＰは、従来の固定構造のように相手部材内に強く嵌入されるのではなく、中間部材１４内に挿入してあるだけであるので、ネジ１８による圧接を解除すればきわめて容易に引き抜くことができる。さらに、ネジ１８の先端でポールＰの外面を圧接するという簡単な構造であるため、製造が容易であり、ポールＰの外面に突出部を設けるなどの加工が不要である。また、従来の固定構造では、ポールＰを相手側部材に強く嵌入するために先細り形状とするものがあるが、第１実施形態の固定構造では、ネジ１８の円筒部１４ａからの延出量を調整することにより、このような先細り形状のポールＰも確実に固定することができる。
【００２１】
＜第２実施形態＞（図３、図４）
図３及び図４に示す第２実施形態に係る椅子の固定構造２０は、フロアＦ（図４（ｂ））に固定される基礎部材２２と、基礎部材２２に内挿される筒状の中間部材２４と、を備える。基礎部材２２、中間部材２４ともに金属の成形により形成され、椅子を安定した状態でフロアに固定できるだけの剛性を備えていれば任意の材料（例えばステンレス鋼）を用いることができる。
【００２２】
基礎部材２２は、円板状の基部２２ａの中央に、円筒部２２ｃを立設形成した形状をなしており、基部２２ａの厚さ方向（図３の上下方向）に沿って貫設された複数のネジ穴２２ｄに、ネジ２６をそれぞれ挿入し、その先端をフロアＦに螺入することによりフロアＦに固定される。また、基礎部材２２の円筒部２２ｃには、外面から内面へ貫通する中間部材固定孔２２ｅが設けられている。
【００２３】
中間部材２４は、円筒状の本体部２４ａからなり、フロアＦ上に固定された基礎部材２２の円筒部２２ｃに内挿される。本体部２４ａには、外面から内面へ貫通するポール固定孔２４ｃが設けられている。また、本体部２４ａの外面には、円筒部２２ｃに本体部２４ａを内挿したときの中間部材固定孔２２ｅに対応する高さ位置に、全周に渡って位置決め溝２４ｄが凹設されている。中間部材固定孔２２ｅにネジ２８を螺入し、ネジ２８の先端を位置決め溝２４ｄの内壁に収容させることによって、中間部材２４が基礎部材２２から上方へ抜けることを防止できる。さらに、ネジ２８の先端を位置決め溝２４ｄに収容させて中間部材２４を抜け止めつつ、中間部材２４を基礎部材２２に対して相対回転させることができ、これにより椅子の向きを調整することができる。調整後は、ネジ２８の先端を位置決め溝２４ｄの内壁に圧接することにより中間部材２４の基礎部材２２に対する相対回転を止める。
【００２４】
つづいて、図４を参照しつつ、第２実施形態の固定構造２０を用いた、フロアＦへの椅子の固定手順について説明する。まず、ネジ穴２２ｄに挿通されたネジ２６をフロアＦに螺入固定することにより、基礎部材２２をフロアＦに固定する。次に、中間部材２４の本体部２４ａを基礎部材２２の円筒部２２ｃへ内挿し、中間部材固定孔２２ｅにネジ２８を螺入して、その先端を位置決め溝２４ｄの内壁に圧接させる（図４（ａ））。このとき、本体部２４ａは、円筒部２２ｃの上端から上方へ延出した状態である。この本体部２４ａ内に、対象となる椅子の座部から下方に延びるポールＰの下端を挿入する。ポールＰの本体部２４ａからの脱着を容易にする観点から、本体部２４ａの内径はポールＰの外径と同一又はやや大きいことが好ましい。
【００２５】
次に、ポール固定孔２４ｃ内に螺入されたネジ（固定部材）２９の先端をポールＰの外面に圧接させる。これにより、ポールＰの外面の少なくとも一部が中間部材２４を介して基礎部材２２に圧接固定される。このようにして、ポールＰは、固定構造２０を用いてフロアＦに固定される（図４（ｂ））。ポールＰの取り外しは、ネジ２９の本体部２４ａ内面からの突出量を減じて、ネジ２９のポールＰへの圧接状態を解除した状態で行う。ポールＰは、従来の固定構造のように相手部材内に強く嵌入されるのではなく、本体部２４ａ内に挿入してあるだけであるので、ネジ２９による圧接を解除すればきわめて容易に引き抜くことができる。さらに、ネジ２９の先端でポールＰの外面を圧接するという簡単な構造であるため、製造が容易であり、ポールＰの外面に突出部を設けるなどの加工が不要である。また、従来の固定構造では、ポールＰを相手側部材に強く嵌入するために先細り形状とするものがあるが、第２実施形態の固定構造では、ネジ２９の本体部２４ａからの延出量を調整することにより、このような先細り形状のポールＰも確実に固定することができる。
【００２６】
＜第３実施形態＞（図５、図６）
図５及び図６に示す第３実施形態に係る椅子の固定構造３０は、フロアＦ（図６（ｂ））に固定される基礎部材３２と、基礎部材３２に回動自在に支持されたカム部材（固定部材）３８と、を備える。基礎部材３２、カム部材３８ともに金属の成形により形成され、椅子を安定した状態でフロアに固定できるだけの剛性を備えていれば任意の材料（例えばステンレス鋼）を用いることができる。
【００２７】
基礎部材３２は、円板状の基部３２ａの中央に、円筒部３２ｃを立設形成した形状をなしており、基部３２ａの厚さ方向（図５の上下方向）に沿って貫設された複数のネジ穴３２ｄに、ネジ３６をそれぞれ挿入し、その先端をフロアＦに螺入することによりフロアＦに固定される。
【００２８】
円筒部３２ｃの上端の一部は切り欠かれており、この切り欠きからは、その間隔を保って互いに対向しつつ外方へ延びるように２枚の板状のカム保持部材３２ｅが設けられている。このカム保持部材３２ｅの間には、カム部材３８が回動可能に保持されている。カム部材３８は、両端がカム保持部材３２ｅに支持された回動軸３８ａと、この回動軸３８ａの周りを回動可能な楕円板状のカム部３８ｂと、カム部３８ｂから延びるレバー部３８ｃと、を備えている。図６（ｂ）に示すように、円筒部３２ｃ内にポールＰを挿入する初期状態（同図の実線）では、カム部３８ｂは円筒部３２ｃの内面よりも内方に突出していない。すなわち、カム部３８ｂは、円筒部３２ｃの内面と同一または外方に位置する。これに対して、レバー部３８ｃを下方（同図の矢印Ａ方向）に押し下げると、カム部３８ｂは、回動軸３８ａの周りを回動して、円筒部３２ｃの内面よりも内方に突出した状態となる。
【００２９】
つづいて、図６を参照しつつ、第３実施形態の固定構造３０を用いた、フロアＦへの椅子の固定手順について説明する。まず、ネジ穴３２ｄに挿通されたネジ３６をフロアＦに螺入固定することにより、基礎部材３２をフロアＦに固定する。次に、円筒部３２ｃ内に、対象となる椅子の座部から下方に延びるポールＰの下端を挿入する。ポールＰの円筒部３２ｃからの脱着を容易にする観点から、円筒部３２ｃの内径はポールＰの外径と同一又はやや大きいことが好ましい。
【００３０】
さらに、レバー部３８ｃを下方に押し下げることにより、回動軸３８ａを円筒部３２ｃの内面より内方に突出させて、ポールＰの外面（外周面）に圧接させる。これにより、ポールＰの外面の少なくとも一部が円筒部３２ｃに圧接固定される。このようにして、ポールＰは、固定構造３０を用いてフロアＦに固定される（図６（ｂ））。ポールＰの取り外しは、レバー部３８ｃを押し上げて（矢印Ａと逆方向に動かして）、カム部３８ｂの円筒部３２ｃの内面からの突出量を減じて、カム部材３８のポールＰへの圧接状態を解除した状態で行う。ポールＰは、従来の固定構造のように相手部材内に強く嵌入されるのではなく、円筒部３２ｃ内に挿入してあるだけであるので、カム部材３８による圧接を解除すればきわめて容易に引き抜くことができる。さらに、カム部３８ｂでポールＰの外面を圧接するという簡単な構造であるため、製造が容易であり、ポールＰの外面に突出部を設けるなどの加工が不要である。また、従来の固定構造では、ポールＰを相手側部材に強く嵌入するために先細り形状とするものがあるが、第３実施形態の固定構造では、カム部材３８の円筒部３２ｃの内面からの突出量を調整することにより、このような先細り形状のポールＰも確実に固定することができる。
【００３１】
＜第４実施形態＞（図７、図８）
図７及び図８に示す第４実施形態に係る椅子の固定構造４０は、フロアＦ（図８（ｃ））に固定される基礎部材４２と、基礎部材４２の円筒部に設けたスリットの間隔を変更する調整部材（固定部材）４８と、を備える。基礎部材４２、調整部材４８ともに金属の成形により形成され、椅子を安定した状態でフロアに固定できるだけの剛性を備えていれば任意の材料（例えばステンレス鋼）を用いることができる。
【００３２】
基礎部材４２は、円板状の基部４２ａの中央に、円筒部４２ｃを立設形成した形状をなしており、基部４２ａの厚さ方向（図７の上下方向）に沿って貫設された複数のネジ穴４２ｄに、ネジ４６をそれぞれ挿入し、その先端をフロアＦに螺入することによりフロアＦに固定される。
【００３３】
円筒部４２ｃの上端の一部は切り欠かれてスリット状とされており、このスリットからは、その間隔を保って互いに対向しつつ外方へ延びるように２枚の板状部材４２ｅが設けられている。この板状部材４２ｅには、調整部材４８の軸部４８ａが螺入されている。調整部材４８は、軸部４８ａと、この軸部４８ａの端部に固定された基部４８ｂと、基部４８ｂから延びるレバー部４８ｃと、を備えている。図８（ｃ）に示すように、円筒部４２ｃ内にポールＰを挿入する初期状態（同図の実線）から、レバー部４８ｃを下方（同図の矢印Ｂ方向）に押し下げると、基部４８ｂは板状部材４２ｅにさらに螺入され、これにより２枚の板状部材４２ｅの間隔が狭められる。
【００３４】
つづいて、図８を参照しつつ、第４実施形態の固定構造４０を用いた、フロアＦへの椅子の固定手順について説明する。まず、ネジ穴４２ｄに挿通されたネジ４６をフロアＦに螺入固定することにより、基礎部材４２をフロアＦに固定する。次に、円筒部４２ｃ内に、対象となる椅子の座部から下方に延びるポールＰの下端を挿入する。ポールＰの円筒部４２ｃからの脱着を容易にする観点から、円筒部４２ｃの内径はポールＰの外径と同一又はやや大きいことが好ましい。
【００３５】
さらに、レバー部４８ｃを下方に押し下げることにより、基部４８ｂを板状部材４２ｅにさらに螺入して２枚の板状部材４２ｅの間隔を狭める。これにより円筒部４２ｃの内面をポールＰの外面（外周面）に圧接させて、ポールＰの外面の少なくとも一部を円筒部４２ｃに圧接固定する。このようにして、ポールＰは、固定構造４０を用いてフロアＦに固定される（図８（ｃ））。ポールＰの取り外しは、レバー部４８ｃを押し上げて（矢印Ｂと逆方向に動かして）、２枚の板状部材４２ｅの間隔を広げることにより、円筒部４２ｃのポールＰへの圧接状態を解除した状態で行う。ポールＰは、従来の固定構造のように相手部材内に強く嵌入されるのではなく、円筒部４２ｃ内に挿入してあるだけであるので、調整部材４８による圧接を解除すればきわめて容易に引き抜くことができる。さらに、軸部４８ａを板状部材４２ｅへ螺入していくことでポールＰの外面を圧接するという簡単な構造であるため、製造が容易であり、ポールＰの外面に突出部を設けるなどの加工が不要である。また、従来の固定構造では、ポールＰを相手側部材に強く嵌入するために先細り形状とするものがあるが、第４実施形態の固定構造では、軸部４８ａの板状部材４２ｅへの螺入量を調整することにより、このような先細り形状のポールＰも確実に固定することができる。
【００３６】
本発明について上記実施形態を参照しつつ説明したが、本発明は上記実施形態に限定されるものではなく、改良の目的または本発明の思想の範囲内において改良または変更が可能である。
【図面の簡単な説明】
【００３７】
【図１】本発明の第１実施形態に係る椅子の固定構造の構成を示す分解斜視図である。
【図２】（ａ）は本発明の第１実施形態に係る椅子の固定構造の構成を示す縦断面図、（ｂ）は、椅子のポールがフロアに固定された状態を示す縦断面図である。
【図３】本発明の第２実施形態に係る椅子の固定構造の構成を示す分解斜視図である。
【図４】（ａ）は本発明の第２実施形態に係る椅子の固定構造の構成を示す縦断面図、（ｂ）は、椅子のポールがフロアに固定された状態を示す縦断面図である。
【図５】本発明の第３実施形態に係る椅子の固定構造の構成を示す斜視図である。
【図６】（ａ）は本発明の第３実施形態に係る椅子の固定構造の構成を示す縦断面図、（ｂ）は、椅子のポールがフロアに固定された状態を示す縦断面図である。
【図７】本発明の第４実施形態に係る椅子の固定構造の構成を示す斜視図である。
【図８】（ａ）は本発明の第３実施形態に係る椅子の固定構造の構成を示す縦断面図、（ｂ）は椅子の固定構造の構成を示す平面図、（ｃ）は椅子のポールがフロアに固定された状態を示す縦断面図である。
【符号の説明】
【００３８】
１０  固定構造
１２  基礎部材
１４  中間部材
１８  ネジ（固定部材）
２０  固定構造
２２  基礎部材
２４  中間部材
２９  ネジ（固定部材）
３０  固定構造
３２  基礎部材
３８  カム部材（固定部材）
４０  固定構造
４２  基礎部材
４８  調整部材（固定部材）
Ｆ    フロア
Ｐ    ポール（柱状支持部）
【図７】
2008149002.tif 000003
【図１】
2008149002.tif 000004
【図２】
2008149002.tif 000005
【図３】
2008149002.tif 000006
【図４】
2008149002.tif 000007
【図５】
2008149002.tif 000008
【図６】
2008149002.tif 000009
【図８】
2008149002.tif 000010